(57)【要約】【課題】防蟻効果を維持したまま、保護管内の水を排出することができる、地中埋設箱の管接続部防蟻構造を提供する。【解決手段】管接続部防蟻構造５は、地中埋設箱２の側壁２ａに形成された貫通孔２ｄに保護管３が接続された接続部の防蟻構造である。配線・配管材４が、保護管３内と地中埋設箱２内とに渡って配設され、前記接続部において、保護管３の内面と、配線・配管材４との間に、シロアリが突破不能で水が通過不能な充填材６が充填される。そして、保護管３内に溜まった水を地中埋設箱２内に排出するための排出管７が、充填材６を貫通するように設けられ、その排出管７は、防蟻成分を含有する。【選択図】  図１
2019083602.tif 000002
【特許請求の範囲】
【請求項１】
地中埋設箱の側壁に保護管が直接または継手を介して接続された接続部の防蟻構造であって、
前記保護管内と前記地中埋設箱内とに渡って配線・配管材が配設され、
前記接続部において、前記保護管の内面および／または前記継手の内面と、前記配線・配管材との間に、シロアリが突破不能で水が通過不能な充填材が充填され、
前記保護管内に溜まった水を前記地中埋設箱内に排出するための排出管が、前記充填材を貫通するように設けられ、
前記排出管は、防蟻成分を含有してなる、地中埋設箱の管接続部防蟻構造。
【請求項２】
前記充填材は、不乾性のパテであって、かつ、防蟻成分を含有してなる、請求項１に記載の地中埋設箱の管接続部防蟻構造。
【請求項３】
前記排出管には、前記保護管内から前記地中埋設箱内への水の移動を許容し、前記地中埋設箱内から前記保護管内への水の移動を阻止する、弁装置が設けられる、請求項１または２に記載の地中埋設箱の管接続部防蟻構造。
【請求項４】
地中埋設箱の側壁に保護管が直接または継手を介して接続された接続部における、前記保護管および／または前記継手の内面側に取り付けられる管端末具であって、
筒状に形成された管端末具本体を備え、その管端末具本体は、前記保護管内と前記地中埋設箱内とに渡って配設される配線・配管材を挿通させることができ、かつ、シロアリが突破不能で水が通過不能な充填材を充填できる、内側空間を有し、
前記管端末具本体には、前記保護管内に溜まった水を地中埋設箱内に排出するための排出管部が設けられ、
前記排出管部は、防蟻成分を含有してなる、防蟻用の管端末具。
【請求項５】
地中埋設箱の側壁に保護管を接続するための管接続具であって、
筒状に形成された管接続具本体を備え、その管接続具本体は、前記保護管内と前記地中埋設箱内とに渡って配設される配線・配管材を挿通させることができ、かつ、シロアリが突破不能で水が通過不能な充填材を充填できる、内側空間を有し、
前記管接続具本体には、前記保護管内に溜まった水を地中埋設箱内に排出するための排出管部が設けられ、
前記排出管部は、防蟻成分を含有してなる、防蟻用の管接続具。
【発明の詳細な説明】
【技術分野】
【０００１】
この発明は、地中埋設箱の管接続部防蟻構造、防蟻用の管端末具、および防蟻用の管接続具に関するものである。
【背景技術】
【０００２】
従来、地中埋設箱の、保護管が接続される接続部分の防蟻構造として、保護管内のケーブルと保護管内面との間を、防蟻成分を含有する不織布で塞ぐことが開示されている（特許文献１参照）
【先行技術文献】
【特許文献】
【０００３】
【特許文献１】特開２０１６−５３３５号公報
【発明の概要】
【発明が解決しようとする課題】
【０００４】
しかし、前記従来の防蟻構造においては、保護管内に溜まった水が不織布を通過すると、その水の通過に伴って、不織布内の防蟻成分が徐々に流れ出ることで、防蟻効果が薄れる虞があった。
【０００５】
この発明は、上記した従来の欠点を解決するためになされたものであり、その目的とするところは、防蟻効果を維持したまま、保護管内の水を排出することができる、地中埋設箱の管接続部防蟻構造、防蟻用の管端末具、および防蟻用の管接続具を提供することにある。
【課題を解決するための手段】
【０００６】
この発明に係る地中埋設箱の管接続部防蟻構造、防蟻用の管端末具、および防蟻用の管接続具は、前記目的を達成するために、次の構成からなる。すなわち、
請求項１に記載の発明に係る地中埋設箱の管接続部防蟻構造は、地中埋設箱の側壁に保護管が直接または継手を介して接続された接続部の防蟻構造であって、前記保護管内と前記地中埋設箱内とに渡って配線・配管材が配設される。ここで、前記接続部において、前記保護管の内面および／または前記継手の内面と、前記配線・配管材との間に、シロアリが突破不能で水が通過不能な充填材が充填される。そして、前記保護管内に溜まった水を前記地中埋設箱内に排出するための排出管が、前記充填材を貫通するように設けられ、その排出管は、防蟻成分を含有してなる。
【０００７】
この管接続部防蟻構造によると、地中埋設箱の、保護管が接続された接続部において、保護管の内面および／または継手の内面と、配線・配管材との間に、シロアリが突破不能で水が通過不能な充填材が充填される。したがって、この充填材により、保護管内と地中埋設箱内との間をシロアリが移動するのを防ぐことができる。そして、この充填材を貫通するように排出管が設けられており、保護管内に雨水や地下水が流れ込んだとしても、その水は、排出管を通って、地中埋設箱内へと流れ出ることができる。また、この排出管は、防蟻成分を含有することから、シロアリがこの排出管を通過することもない。
【０００８】
また、請求項２に記載の発明に係る地中埋設箱の管接続部防蟻構造は、請求項１に記載の管接続部防蟻構造において、前記充填材は、不乾性のパテであって、かつ、防蟻成分を含有してなる。充填材が不乾性のパテであることから、その充填材の除去が容易であって、配線・配管材の交換を簡単に行うことができる。
【０００９】
また、請求項３に記載の発明に係る地中埋設箱の管接続部防蟻構造は、請求項１または２に記載の管接続部防蟻構造において、前記排出管には、前記保護管内から前記地中埋設箱内への水の移動を許容し、前記地中埋設箱内から前記保護管内への水の移動を阻止する、弁装置が設けられる。弁装置を設けることで、地中埋設箱内から保護管内へと水が逆流するのを防止することができる。
【００１０】
また、請求項４に記載の発明に係る防蟻用の管端末具は、地中埋設箱の側壁に保護管が直接または継手を介して接続された接続部における、前記保護管および／または前記継手の内面側に取り付けられる管端末具である。この管端末具は、筒状に形成された管端末具本体を備え、その管端末具本体は、前記保護管内と前記地中埋設箱内とに渡って配設される配線・配管材を挿通させることができ、かつ、シロアリが突破不能で水が通過不能な充填材を充填できる、内側空間を有する。そして、前記管端末具本体には、前記保護管内に溜まった水を地中埋設箱内に排出するための排出管部が設けられ、その排出管部は、防蟻成分を含有してなる。
【００１１】
この管端末具によると、管端末具は、地中埋設箱の、保護管が接続された接続部に取り付けられる。そして、管端末具本体は、内側空間を有し、保護管内と地中埋設箱内とに渡って配設される配線・配管材は、その内側空間を通過する。そして、内側空間には、シロアリが突破不能で水が通過不能な充填材が充填される。したがって、この充填材により、保護管内と地中埋設箱内との間をシロアリが移動するのを防ぐことができる。そして、管端末具本体には、排出管部が設けられており、保護管内に雨水や地下水が流れ込んだとしても、その水は、排出管部を通って、地中埋設箱内へと流れ出ることができる。また、この排出管部は、防蟻成分を含有することから、シロアリがこの排出管部を通過することもない。
【００１２】
また、請求項５に記載の発明に係る防蟻用の管接続具は、地中埋設箱の側壁に保護管を接続するための管接続具である。この管接続具は、筒状に形成された管接続具本体を備え、その管接続具本体は、前記保護管内と前記地中埋設箱内とに渡って配設される配線・配管材を挿通させるこができ、かつ、シロアリが突破不能で水が通過不能な充填材を充填できる、内側空間を有する。そして、前記管接続具本体には、前記保護管内に溜まった水を地中埋設箱内に排出するための排出管部が設けられ、その排出管部は、防蟻成分を含有してなる。
【００１３】
この管接続具によると、この管接続具を介して、地中埋設箱に保護管が接続される。そして、管接続具本体は、内側空間を有し、保護管内と地中埋設箱内とに渡って配設される配線・配管材は、その内側空間を通過する。そして、内側空間には、シロアリが突破不能で水が通過不能な充填材が充填される。したがって、この充填材により、保護管内と地中埋設箱内との間をシロアリが移動するのを防ぐことができる。そして、管接続具本体には、排出管部が設けられており、保護管内に雨水や地下水が流れ込んだとしても、その水は、排出管部を通って、地中埋設箱内へと流れ出ることができる。また、この排出管部は、防蟻成分を含有することから、シロアリがこの排出管部を通過することもない。
【発明の効果】
【００１４】
この発明に係る地中埋設箱の管接続部防蟻構造によれば、シロアリが突破不能で水が通過不能な充填材と、排出管により、防蟻効果を維持したまま、保護管内の水を排出することができる。
【００１５】
また、この発明に係る防蟻用の管端末具、および防蟻用の管接続具によれば、シロアリが突破不能で水が通過不能な充填材と、排出管部により、防蟻効果を維持したまま、保護管内の水を排出することができる。
【図面の簡単な説明】
【００１６】
【図１】この発明の第一の実施の形態の断面図である。
【図２】図１におけるＡ−Ａ線による拡大断面図である。
【図３】この発明の第二の実施の形態の断面図である。
【図４】図３におけるＢ−Ｂ線による拡大断面図である。
【図５】この発明の第三の実施の形態の断面図である。
【図６】図５におけるＣ−Ｃ線による拡大断面図である。
【図７】この発明の第四の実施の形態の断面図である。
【図８】図７におけるＤ−Ｄ線による拡大断面図である。
【発明を実施するための形態】
【００１７】
以下、この発明に係る地中埋設箱の管接続部防蟻構造、防蟻用の管端末具、および防蟻用の管接続具を実施するための形態を図面に基づいて説明する。
【００１８】
図１および図２は、本発明の第一の実施の形態を示す。この実施の形態は、地中埋設箱の管接続部防蟻構造に係るものである。図中符号１は、地中を示し、２は、地中１に埋設される地中埋設箱を示す。３は、前記地中埋設箱２に接続される保護管を示す。４は、前記保護管３内に通される配線・配管材（配線材または配管材）を示す。５は、地中埋設箱の管接続部防蟻構造を示す。
【００１９】
この管接続部防蟻構造５は、地中埋設箱２の側壁２ａに保護管３が直接または継手を介して（図示実施の形態においては、直接）接続された接続部の防蟻構造であって、保護管３内と地中埋設箱２内とに渡って配線・配管材４が配設される。そして、前記接続部において、保護管３の内面および／または継手の内面（図示実施の形態においては、保護管３の内面）と、配線・配管材４との間に、シロアリが突破不能で水が通過不能な充填材６が充填される。そこで、保護管３内に溜まった水を地中埋設箱２内に排出するための排出管７が、充填材６を貫通するように設けられ、その排出管７は、防蟻成分を含有する。
【００２０】
また、排出管７には、保護管３内から地中埋設箱２内への水の移動を許容し、地中埋設箱２内から保護管３内への水の移動を阻止する、弁装置８が設けられる。この弁装置８の構造の詳細は省略するが、弁装置８は、弁体を備え、その弁体が、変形あるいは移動することで、弁装置８内の通路を開いて、保護管３内から地中埋設箱２内への水の移動を許容し、また、前記通路を閉じて、地中埋設箱２内から保護管３内への水の移動を阻止する。
【００２１】
具体的には、地中埋設箱２は、ハンドホールとかマンホール等からなる。詳細には、地中埋設箱２は、底壁２ｂと前記側壁２ａとを有する。そして、側壁２ａに貫通孔２ｄがあけられ、その貫通孔２ｄに、保護管３が直接または継手を介して（図示実施の形態においては、直接）接続される。
【００２２】
保護管３は、例えば、配線・配管材４（詳しくは、配線材）としてのケーブル（電力ケーブルとか通信ケーブル（光ファイバケーブルを含む））を収容保護する電線管であって、図示実施の形態においては、その長手方向に波が形成された波付管からなり、可撓性を備える。そして、保護管３は、地中埋設箱２の側壁２ａに形成された貫通孔２ｄに、直接または継手を介して（図示実施の形態においては、直接）接続される。また、図示実施の形態においては、貫通孔２ｄにおいて、その内面と保護管３との間の隙間が、モルタル等の隙間材９で埋められている。
【００２３】
充填材６は、不乾性（つまり、不硬化性）のパテであって、かつ、防蟻成分を含有する。この防蟻成分としては、チアメトキサムとかクロチアニジンとかのネオニコチノイド系化合物、ピレスロイド系剤、有機リン剤、カーバメート剤、ホウ素化合物、フッ素化合物などが挙げられる。この防蟻成分は、通常、マイクロカプセルに封入されて、充填材６のベースに混入されるが、マイクロカプセルに封入されることなく、直接ベースに混入されても構わない。そこで、これら防蟻成分を適宜選択し、また、その含有率を調整することで、充填材６は、シロアリを忌避する忌避機能を備えたり、シロアリを殺虫する殺虫機能を備えたりする。
【００２４】
図示実施の形態においては、保護管３の先端部分には、ベルマウス１０が設けられて、充填材６は、そのベルマウス１０の内面と配線・配管材４との間を埋めるように充填される。そして、ベルマウス１０には、弾性を備えた爪１０ａが設けられ、その爪１０ａが、保護管３の内面に係合することで、ベルマウス１０は、保護管３に取り付けられる。また、ベルマウス１０の口元部分１０ｂは、外方に広がるようにして地中埋設箱２内に突出し、その口元部分１０ｂと側壁２ａとの間の隙間が、パテ１１で埋められる。そして、このパテ１１においても、防蟻成分を含有するのが好ましく、その防蟻成分としては、充填材６において例示する防蟻成分と同様の成分が挙げられる。
【００２５】
排出管７は、例えば合成樹脂からなる。そこで、排出管７は、防蟻成分が、例えばマイクロカプセルに封入されて、ベースとなる合成樹脂材料とともに混練されて成形される。そして、この防蟻成分としては、充填材６において例示する防蟻成分と同様の成分が挙げられる。
【００２６】
次に、第一の実施の形態に示す地中埋設箱の管接続部防蟻構造５の作用効果について説明する。この管接続部防蟻構造５によると、地中埋設箱２の、保護管３が接続された接続部において、保護管３の内面および／または継手の内面（図示実施の形態においては、保護管３の内面）と、配線・配管材４との間に、シロアリが突破不能で水が通過不能な充填材６が充填される。したがって、この充填材６により、保護管３内と地中埋設箱２内との間をシロアリが移動するのを防ぐことができる。そして、この充填材６を貫通するように排出管７が設けられており、保護管３内に雨水や地下水が流れ込んだとしても、その水は、排出管７を通って、地中埋設箱２内へと流れ出ることができる。また、この排出管７は、防蟻成分を含有することから、シロアリがこの排出管７を通過することもない。すなわち、この管接続部防蟻構造５によれば、シロアリが突破不能で水が通過不能な充填材６と、排出管７により、防蟻効果を維持したまま、保護管３内の水を排出することができる。
【００２７】
また、充填材６が、不乾性のパテであることから、その充填材６の除去が容易であって、配線・配管材４の交換を簡単に行うことができる。
【００２８】
また、排出管７に弁装置８を設けることで、地中埋設箱２内から保護管３内へと水が逆流するのを防止することができる。すなわち、地中埋設箱２内に水が溜まり、その水が排出管７の高さに達した場合であっても、その水が排出管７を通って保護管３内に流れ込むことはない。
【００２９】
図３および図４は、本発明の第二の実施の形態を示す。この実施の形態は、地中埋設箱の管接続部防蟻構造に係るものであって、保護管３は、地中埋設箱２の側壁２ａに継手１２を介して接続され、ベルマウス１０は、設けられないが、他は、第一の実施の形態と同様であり、以下に、同様の部分には同一の符号を付して、異なる部分を主に説明する。
【００３０】
この管接続部防蟻構造５は、地中埋設箱２の側壁２ａ（詳しくは、側壁２ａに形成された貫通孔２ｄ）に保護管３が継手１２を介して接続された接続部の防蟻構造である。この接続部においては、継手１２の内面と、配線・配管材４との間に、シロアリが突破不能で水が通過不能な充填材６が充填される。ここで、継手１２は、筒状に形成された、第１コネクタ１２ａと第２コネクタ１２ｂとを備える。第１コネクタ１２ａは、地中埋設箱２の外側に配置され、その第１コネクタ１２ａに、保護管３が挿入され接続される。第２コネクタ１２ｂは、地中埋設箱２の内側から貫通孔２ｄに挿入されて、第１コネクタ１２ａに、例えばねじ込まれることにより連結される。また、この継手１２においては、第１コネクタ１２ａの内面と保護管３の外面との間に、オーリング１３が配置され、第１コネクタ１２ａの端面と地中埋設箱２の外面との間に、パッキン１４が配置される。
【００３１】
この第二の実施の形態に示す地中埋設箱の管接続部防蟻構造５の作用効果は、第一の実施の形態と同様であって、シロアリが突破不能で水が通過不能な充填材６と、排出管７により、防蟻効果を維持したまま、保護管３内の水を排出することができる。そして、充填材６が、不乾性のパテであることから、その充填材６の除去が容易であって、配線・配管材４の交換を簡単に行うことができる。
【００３２】
図５および図６は、本発明の第三の実施の形態を示す。この実施の形態は、管接続部防蟻構造に加えて、防蟻用の管端末具に係るものであって、第一の実施の形態の管接続部防蟻構造５において、ベルマウス１０と排出管７とが一体化されてなるが、他は、第一の実施の形態と同様であり、以下に、同様の部分には同一の符号を付して、異なる部分を主に説明する。
【００３３】
防蟻用の管端末具１５は、地中埋設箱２の側壁２ａ（詳しくは、側壁２ａに形成された貫通孔２ｄ）に保護管３が直接または継手を介して（図示実施の形態においては、直接）接続された接続部における、保護管３および／または継手（図示実施の形態においては、保護管３）の内面側に取り付けられる管端末具である。この管端末具１５は、筒状に形成された管端末具本体１６（第一の実施の形態におけるベルマウス１０に相当）を備え、その管端末具本体１６は、保護管３内と地中埋設箱２内とに渡って配設される配線・配管材４を挿通させることができ、かつ、シロアリが突破不能で水が通過不能な充填材６を充填できる、内側空間１６ａを有する。そして、管端末具本体１６には、保護管３内に溜まった水を地中埋設箱２内に排出するための排出管部１７（第一の実施の形態における排出管７に相当）が設けられ、その排出管部１７は、防蟻成分を含有する。
【００３４】
詳細には、管端末具１５は、合成樹脂からなり、管端末具本体１６と排出管部１７とが一体に形成される。そこで、管端末具１５は、防蟻成分が、例えばマイクロカプセルに封入されて、ベースとなる合成樹脂材料とともに混練されて成形される。そして、この防蟻成分としては、第一の実施の形態で例示する防蟻成分と同様の成分が挙げられる。
【００３５】
より詳細には、管端末具本体１６は、ベルマウスからなって、その内面に排出管部１７が設けられる。そして、管端末具本体１６には、弾性を備えた爪１６ｂが設けられ、その爪１６ｂが、保護管３の内面に係合することで、管端末具本体１６、ひいては管端末具１５は、保護管３に取り付けられる。また、管端末具本体１６の口元部分１６ｃは、外方に広がるようにして地中埋設箱２内に突出し、その口元部分１６ｃと側壁２ａとの間の隙間が、パテ１１で埋められる。そして、このパテ１１においても、防蟻成分を含有するのが好ましく、その防蟻成分としては、第一の実施の形態で例示する防蟻成分と同様の成分が挙げられる。
【００３６】
また、排出管部１７においては、第一の実施の形態に示す排出管７と同様に、保護管３内から地中埋設箱２内への水の移動を許容し、地中埋設箱２内から保護管３内への水の移動を阻止する、弁装置８が設けられる。
【００３７】
また、前記充填材６は、不乾性のパテであって、かつ、防蟻成分を含有する。このため、この充填材６の除去が容易であって、配線・配管材４の交換を簡単に行うことができる。
【００３８】
次に、第三の実施の形態に示す防蟻用の管端末具１５の作用効果について説明する。この管端末具１５によると、管端末具１５は、地中埋設箱２の、保護管３が接続された接続部に取り付けられる。そして、管端末具本体１６は、内側空間１６ａを有し、保護管３内と地中埋設箱２内とに渡って配設される配線・配管材４は、その内側空間１６ａを通過する。そして、内側空間１６ａには、シロアリが突破不能で水が通過不能な充填材６が充填される。したがって、この充填材６により、保護管３内と地中埋設箱２内との間をシロアリが移動するのを防ぐことができる。そして、管端末具本体１６には、排出管部１７が設けられており、保護管３内に雨水や地下水が流れ込んだとしても、その水は、排出管部１７を通って、地中埋設箱２内へと流れ出ることができる。また、この排出管部１７は、防蟻成分を含有することから、シロアリがこの排出管部１７を通過することもない。すなわち、この管端末具１５によれば、シロアリが突破不能で水が通過不能な充填材６と、排出管部１７により、防蟻効果を維持したまま、保護管３内の水を排出することができる。
【００３９】
また、排出管部１７に弁装置８を設けることで、地中埋設箱２内から保護管３内へと水が逆流するのを防止することができる。すなわち、地中埋設箱２内に水が溜まり、その水が排出管部１７の高さに達した場合であっても、その水が排出管部１７を通って保護管３内に流れ込むことはない。
【００４０】
図７および図８は、本発明の第四の実施の形態を示す。この実施の形態は、管接続部防蟻構造に加えて、防蟻用の管接続具に係るものであり、第二の実施の形態の管接続部防蟻構造５において、継手１２と排出管７とが一体化されてなるが、他は、第二の実施の形態と同様であり、以下に、同様の部分には同一の符号を付して、異なる部分を主に説明する。
【００４１】
防蟻用の管接続具１８は、地中埋設箱２の側壁２ａ（詳しくは、側壁２ａに形成された貫通孔２ｄ）に保護管３を接続するための管接続具である。この管接続具１８は、筒状に形成された管接続具本体１９（第二の実施の形態における継手１２に相当）を備え、その管接続具本体１９は、保護管３内と地中埋設箱２内とに渡って配設される配線・配管材４を挿通させることができ、かつ、シロアリが突破不能で水が通過不能な充填材６を充填できる、内側空間１９ａを有する。そして、管接続具本体１９には、保護管３内に溜まった水を地中埋設箱２内に排出するための排出管部２０（第二の実施の形態における排出管７に相当）が設けられ、その排出管部２０は、防蟻成分を含有する。
【００４２】
詳細には、管接続具１８は、合成樹脂からなり、管接続具本体１９（詳しくは、後述する第２コネクタ１９ｃ）と排出管部２０とが一体に形成される。そこで、管接続具１８（詳しくは、後述する第２コネクタ１９ｃ、あるいは、第１および第２コネクタ１９ｂ、１９ｃ）は、防蟻成分が、例えばマイクロカプセルに封入されて、ベースとなる合成樹脂材料とともに混練されて成形される。そして、この防蟻成分としては、第一の実施の形態で例示する防蟻成分と同様の成分が挙げられる。
【００４３】
より詳細には、管接続具本体１９は、筒状に形成された、第１コネクタ１９ｂと第２コネクタ１９ｃとを備える。第１コネクタ１９ｂは、地中埋設箱２の外側に配置され、その第１コネクタ１９ｂに、保護管３が挿入され接続される。第２コネクタ１９ｃは、地中埋設箱２の内側から貫通孔２ｄに挿入されて、第１コネクタ１９ｂに、例えばねじ込まれることにより連結される。また、この管接続具本体１９においては、第１コネクタ１９ｂの内面と保護管３の外面との間に、オーリング１３が配置され、第１コネクタ１９ｂの端面と地中埋設箱２の外面との間に、パッキン１４が配置される。
【００４４】
また、排出管部２０においては、第一の実施の形態とか第二の実施の形態に示す排出管７と同様に、保護管３内から地中埋設箱２内への水の移動を許容し、地中埋設箱２内から保護管３内への水の移動を阻止する、弁装置８が設けられる。
【００４５】
また、前記充填材６は、第一の実施の形態とか第二の実施の形態に示す充填材６と同様に、不乾性のパテであって、かつ、防蟻成分を含有する。このため、この充填材６の除去が容易であって、配線・配管材４の交換を簡単に行うことができる。
【００４６】
次に、第四の実施の形態に示す防蟻用の管接続具１８の作用効果について説明する。この管接続具１８によると、この管接続具１８を介して、地中埋設箱２に保護管３が接続される。そして、管接続具本体１９は、内側空間１９ａを有し、保護管３内と地中埋設箱２内とに渡って配設される配線・配管材４は、その内側空間１９ａを通過する。そして、内側空間１９ａには、シロアリが突破不能で水が通過不能な充填材６が充填される。したがって、この充填材６により、保護管３内と地中埋設箱２内との間をシロアリが移動するのを防ぐことができる。そして、管接続具本体１９には、排出管部２０が設けられており、保護管３内に雨水や地下水が流れ込んだとしても、その水は、排出管部２０を通って、地中埋設箱２内へと流れ出ることができる。また、この排出管部２０は、防蟻成分を含有することから、シロアリがこの排出管部２０を通過することもない。すなわち、この管接続具１８によれば、シロアリが突破不能で水が通過不能な充填材６と、排出管部２０により、防蟻効果を維持したまま、保護管３内の水を排出することができる。
【００４７】
また、排出管部２０に弁装置８を設けることで、地中埋設箱２内から保護管３内へと水が逆流するのを防止することができる。すなわち、地中埋設箱２内に水が溜まり、その水が排出管部２０の高さに達した場合であっても、その水が排出管部２０を通って保護管３内に流れ込むことはない。
【００４８】
なお、本発明は、上述した実施の形態に限定されるわけではなく、その他種々の変更が可能である。例えば、充填材６は、不乾性のパテでなくても、硬化性のパテとか接着材であってもよい。また、充填材６は、シロアリが突破不能な硬さを有していれば、防蟻成分を含有していなくてもよい。
【００４９】
また、排出管７とか排出管部１７、２０には、弁装置８が設けられているが、この弁装置８は、なくてもよい。
【００５０】
また、第三の実施の形態において、保護管３は、地中埋設箱２の側壁２ａに、直接、接続されるが、継手を介して接続されてもよい。
【００５１】
また、第三の実施の形態において、管端末具１５は、管端末具本体１６と排出管部１７とが一体に形成されるが、管端末具本体１６と排出管部１７とが別体に形成されて、それらが組み付けられてもよい。また、第四の実施の形態においても、管接続具１８は、管接続具本体１９（詳しくは、第２コネクタ１９ｃ）と排出管部２０とが一体に形成されるが、管接続具本体１９（詳しくは、第２コネクタ１９ｃ）と排出管部２０とが別体に形成されて、それらが組み付けられてもよい。
【００５２】
また、第一の実施の形態において、保護管３やベルマウス１０は、防蟻成分を含有することが好ましいが、含有しなくてもよい。また、第二の実施の形態においても、保護管３や継手１２は、防蟻成分を含有することが好ましいが、含有しなくてもよい。また、第三の実施の形態とか第四の実施の形態においても、保護管３は、防蟻成分を含有することが好ましいが、含有しなくてもよい。
【００５３】
また、第一の実施の形態においては、保護管３の先端部分に、ベルマウス１０が挿入されるが、このベルマウス１０はなくてもよい。
【００５４】
また、第三の実施の形態においては、管端末具本体１６は、ベルマウスからなるが、ベルマウスに限るものではなく、内側空間１６ａを有して排出管部１７が設けられるのであれば、どのような形状をしていてもよい。
【００５５】
また、第三の実施の形態において、管端末具１５全体に防蟻成分が含有されている必要はなく、少なくとも排出管部１７に防蟻成分が含有されていればよい。同様に、第四の実施の形態において、管接続具１８全体に防蟻成分が含有されている必要はなく、少なくとも排出管部２０に防蟻成分が含有されていればよい。
【符号の説明】
【００５６】
２  地中埋設箱
２ａ  側壁
３  保護管
４  配線・配管材
５  管接続部防蟻構造
６  充填材
７  排出管
８  弁装置
１２  継手
１５  管端末具
１６  管端末具本体
１６ａ  内側空間
１７  排出管部
１８  管接続具
１９  管接続具本体
１９ａ  内側空間
２０  排出管部
【図１】
2019083602.tif 000003
【図２】
2019083602.tif 000004
【図３】
2019083602.tif 000005
【図４】
2019083602.tif 000006
【図５】
2019083602.tif 000007
【図６】
2019083602.tif 000008
【図７】
2019083602.tif 000009
【図８】
2019083602.tif 000010